(57)【特許請求の範囲】
【請求項１】
商品情報を記憶するとともに、商品情報に関連付けて印字情報、印字部数情報および重複印字するか否かの重複情報を記憶する記憶手段と、
商品情報を印字した伝票を発行するとともに、印字情報を印字した印字物を発行するプリンタ手段と、
前記記憶手段に記憶された印字情報、印字部数情報および重複情報に基づいて、前記プリンタ手段を制御する制御手段とを備え、
前記制御手段は、
入力された商品の商品情報に印字情報が関連付けられているか否かを判断し、
関連付けられていると判断した場合には、重複情報が重複印字するものであるか否かを判断し、
重複印字するものであると判断した場合には、印字情報をキーとする印字回数項目の数値に印字部数情報を加算し、
重複印字しないものであると判断した場合には、印字情報をキーとする印字回数項目の数値が１未満であるときのみその印字回数項目の数値に印字部数情報を加算し、
前記プリンタ手段は、印字情報をキーとする印字回数項目の数値に応じた部数だけ印字物を発行する
ことを特徴とするレジスター装置。
【請求項２】
記憶手段は、印字部数情報として０より大きく１未満の数値を記憶することが可能である
ことを特徴とする請求項１記載のレジスター装置。
【請求項３】
記憶手段は、商品情報に関連付けて音声情報を記憶し、
制御手段は、入力された商品の商品情報に音声情報が関連付けられていると判断した場合には、音声情報をスピーカ手段に発音させる
ことを特徴とする請求項１または２記載のレジスター装置。
【請求項４】
記憶手段は、商品情報に関連付けて表示情報を記憶し、
制御手段は、入力された商品の商品情報に表示情報が関連付けられていると判断した場合には、表示情報を表示手段に表示させる
ことを特徴とする請求項１ないし３のいずれか一記載のレジスター装置。
【請求項５】
プリンタ手段にて発行される印字物は、少なくともクーポン券を含む
ことを特徴とする請求項１ないし４のいずれか一記載のレジスター装置。
【発明の詳細な説明】
【技術分野】
【０００１】
本発明は、オペレータへの負担を軽減できるレジスター装置に関するものである。
【背景技術】
【０００２】
従来、例えば特許文献１に記載されたレジスター装置（金銭登録機）が知られている。
【０００３】
この従来のレジスター装置は、タッチ操作可能なタッチパネル表示部を傾斜状に設けた表示制御ユニットと、この表示制御ユニット上でタッチパネル表示部の後方に載置される印字ユニットと、この印字ユニットを載置した表示制御ユニットを載置する金銭収納部とを具備している。
【先行技術文献】
【特許文献】
【０００４】
【特許文献１】特開平１０−１３４２４８号公報（図１等）
【発明の概要】
【発明が解決しようとする課題】
【０００５】
そして、近年、店舗等に設置されるレジスター装置においては、それを操作する店員等のオペレータに対する負担を軽減できるものが要望されている。
【０００６】
例えばクリーニング店においては、依頼を受けた際に顧客に対して伝票とともにクーポン券（例えば割引券や無料券）を渡す場合があるが、このようなときに、商品１点につきクーポン券１枚を渡す場合もあれば、何点受け付けても顧客に渡すクーポン券は１枚であったり、５点以上受け付けたらクーポン券１枚を顧客に渡したり等と運用が複雑化している傾向があり、オペレータである店員への負担が増加傾向にある。
【０００７】
本発明は、このような点に鑑みなされたもので、オペレータへの負担を軽減できるレジスター装置を提供することを目的とする。
【課題を解決するための手段】
【０００８】
請求項１記載のレジスター装置は、商品情報を記憶するとともに、商品情報に関連付けて印字情報、印字部数情報および重複印字するか否かの重複情報を記憶する記憶手段と、商品情報を印字した伝票を発行するとともに、印字情報を印字した印字物を発行するプリンタ手段と、前記記憶手段に記憶された印字情報、印字部数情報および重複情報に基づいて、前記プリンタ手段を制御する制御手段とを備え、前記制御手段は、入力された商品の商品情報に印字情報が関連付けられているか否かを判断し、関連付けられていると判断した場合には、重複情報が重複印字するものであるか否かを判断し、重複印字するものであると判断した場合には、印字情報をキーとする印字回数項目の数値に印字部数情報を加算し、重複印字しないものであると判断した場合には、印字情報をキーとする印字回数項目の数値が１未満であるときのみその印字回数項目の数値に印字部数情報を加算し、前記プリンタ手段は、印字情報をキーとする印字回数項目の数値に応じた部数だけ印字物を発行するものである。
【０００９】
請求項２記載のレジスター装置は、請求項１記載のレジスター装置において、記憶手段は、印字部数情報として０より大きく１未満の数値を記憶することが可能であるものである。
【００１０】
請求項３記載のレジスター装置は、請求項１または２記載のレジスター装置において、記憶手段は、商品情報に関連付けて音声情報を記憶し、制御手段は、入力された商品の商品情報に音声情報が関連付けられていると判断した場合には、音声情報をスピーカ手段に発音させるものである。
【００１１】
請求項４記載のレジスター装置は、請求項１ないし３のいずれか一記載のレジスター装置において、記憶手段は、商品情報に関連付けて表示情報を記憶し、制御手段は、入力された商品の商品情報に表示情報が関連付けられていると判断した場合には、表示情報を表示手段に表示させるものである。
【００１２】
請求項５記載のレジスター装置は、請求項１ないし４のいずれか一記載のレジスター装置において、プリンタ手段にて発行される印字物は、少なくともクーポン券を含むものである。
【発明の効果】
【００１３】
本発明によれば、商品情報を印字した伝票を発行するとともに印字情報を印字した印字物を発行するプリンタ手段と、記憶手段に記憶された印字情報、印字部数情報および重複情報に基づいてプリンタ手段を制御する制御手段とを備えるため、オペレータへの負担を軽減できる。
【図面の簡単な説明】
【００１４】
【図１】本発明の一実施の形態に係るレジスター装置の概略正面図である。
【図２】同上レジスター装置のブロック図である。
【図３】商品入力時のフローチャートである。
【図４】タッチパネル表示部に表示された商品入力画面の例である。
【図５】伝票発行時のフローチャートである。
【図６】商品情報、印字情報、印字部数情報および重複情報を示す表である。
【図７】キー（印字情報）および印字回数項目を示す表である。
【図８】商品情報が印字された伝票の例である。
【図９】印字情報が印字された印字物（着物受付時のお願いの書面）の例である。
【図１０】印字情報が印字された印字物（クーポン券である割引券）の例である。
【図１１】印字情報が印字された印字物（クーポン券である無料券）の例である。
【発明を実施するための形態】
【００１５】
本発明の一実施の形態について図面を参照して説明する。
【００１６】
図１において、１はタッチパネル式のレジスター装置であり、このレジスター装置１は、例えば顧客会員制の店舗であるクリーニング店の受付に設置され、顧客（会員顧客）が複数種の商品の中から選択した商品の価格に基づいて売上代金を決済する装置である。なお、ここでいう「商品」とは、商品自体に加え、他人に提供するサービス（役務）を含む意味である。
【００１７】
レジスター装置１は、図１に示されるように、金銭等を収納可能な金銭収納部２を有する装置本体３を備えている。また、装置本体３には、オペレータである店員（図示せず）が指先でタッチ操作可能な液晶式のタッチパネル表示部４が設けられている。つまり、レジスター装置１は、操作手段（入力手段）を兼ねた表示手段であるタッチパネル表示部４を備えている。
【００１８】
また、図２に示されるように、装置本体３には、ＣＰＵ等からなる制御手段５が設けられている。そして、制御手段５には、タッチパネル表示部４に加え、少なくとも記憶手段６、プリンタ手段（印字発行手段）７およびスピーカ手段（音声発生手段）８が電気的に接続されている。
【００１９】
記憶手段６は、複数の商品情報を記憶するとともに、これら複数の商品情報のうちの全部または一部の各商品情報ごとに関連付けて表示情報、音声情報、印字情報、印字部数情報および重複印字するか否かの重複情報を記憶するものである。
【００２０】
商品情報は、商品名および単価等である。具体的には例えば「ワイシャツ立体、２２０円」等である。
【００２１】
表示情報は、装飾（下線、強調等）情報を含む文字情報等である。具体的には例えば「ネクタイには、（強調）撥水加工がお勧め」等である。
【００２２】
音声情報は、文字情報であり、具体的には例えば「撥水加工はいかがですか？」等である。
【００２３】
印字情報は、装飾（下線、強調等）情報を含む文字情報等である。具体的には例えば「（強調）ドライ品１点５０％引き券（改行）有効期限（以下省略）」、「（強調）ネクタイ１点無料券（改行）有効期限（以下省略）」等である。
【００２４】
印字部数情報は、数値情報（例えば０〜９の整数および正の小数等）であり、具体的には例えば「１」、「２」、「０．２」等である。つまり、印字部数情報は、自然数には限定されず、０より大きく１未満の数値でもよい。
【００２５】
重複情報は、プリンタ手段７が伝票や印字物等になる紙に対して同一の印字情報を重複印字するか否かを設定するための情報である。具体的には例えば「する」および「しない」のいずれか一方である。
【００２６】
また、記憶手段６は、さらに「頻出単語辞書」を記憶するものである。音声情報は文字情報であるが、その音声情報をそのまま音声合成すると不自然な音声になってしまう場合がある。このため、例えば「ありがとうございます」等の頻出する単語をスピーカ手段８が自然に発声できるようにするために、音声を合成する際に利用するアクセントの補助情報がこの「頻出単語辞書」である。
【００２７】
そして、このレジスター装置１では、クリーニング店の店員（オペレータ）が顧客から商品を預かり、その預かった各商品をタッチパネル表示部４を操作して入力する際に、例えば図３および図４に示すような処理が行われる。
【００２８】
ここで、図３は商品入力時のフローチャートであり、店員がタッチパネル表示部４を操作することにより商品が入力されると（ステップ１）、制御手段５は、入力された商品（受付商品）の商品情報に音声情報が関連付けられている否かを判断する（ステップ２）。
【００２９】
そして、制御手段５は、音声情報が関連付けられていると判断した場合には、音声情報の文字列から「頻出単語辞書」を使用して音声を合成してその音声情報をスピーカ手段８に非同期に発音させる（ステップ３）。すなわち例えば「ネクタイ」に音声情報が関連付けられている場合に「ネクタイ」が入力されると、スピーカ手段８が「撥水加工はいかがですか？」という音声情報を発音する（図４参照）。
【００３０】
一方、制御手段５は、音声情報が関連付けられていないと判断した場合には、商品情報の商品名の文字列から「頻出単語辞書」を使用して音声を合成してその商品名をスピーカ手段８に非同期に発音させる（ステップ４）。
【００３１】
次いで、制御手段５は、入力された商品（受付商品）の商品情報に表示情報が関連付けられている否かを判断する（ステップ５）。
【００３２】
そして、制御手段５は、表示情報が関連付けられていると判断した場合には、その表示情報をタッチパネル表示部４に表示させる（ステップ６）。すなわち例えば「ネクタイ」に表示情報が関連付けられている場合に「ネクタイ」が入力されると、タッチパネル表示部４が「ネクタイには、（強調）撥水加工がお勧め」という表示情報を画面中央部に表示する（図４参照）。
【００３３】
次いで、制御手段５は、担当者である店員の確認操作（例えば確認用ボタンのタッチ操作）があった後（ステップ７）、次の操作を待機する（ステップ８）。なお、制御手段５は、ステップ５で表示情報が関連付けられていないと判断した場合にはステップ８に進む。
【００３４】
そして、このような処理が行われることにより次のような利点がある。
【００３５】
すなわち、音声を文字列から合成して発音することで音声情報の登録が容易に行える。例えば現在コンビニエンスストア等でタバコや酒類を購入すると、「年齢確認が必要です」という音声が流れるが、そのほとんどが予め録音しておいた音声である。レジスター装置１にて音声合成処理をすると、その登録が入力手段であるタッチパネル表示部４の操作に基づく文字情報の登録でよいので、その登録を容易に行うことができる。またそれぞれの商品名も文字列から音声合成することで、個別の商品名の音声を録音しておく必要なく、読み上げさせることができる。
【００３６】
また、音声合成の際に、「頻出単語辞書」の情報を使用することにより文字情報から自然な音声を合成できる。
【００３７】
さらに、音声情報が登録（設定）されていない場合、すなわち例えば、ある商品の商品情報にその商品に関する音声情報が関連関連付けられていない場合には、その商品情報の商品名をスピーカ手段８に発音させることで、顧客に対して何の商品を入力中であるかが分かりやすくなり、接客の向上となる。
【００３８】
また、音声情報や商品名の音声を非同期で流すことで、音声が終了する前に以降の処理を行うことができる。
【００３９】
さらに、表示情報の表示を先に行ってしまうと、店員の確認操作を待ってから音声情報の発音となるが、表示情報の表示よりも先に音声情報を流すことで、商品の入力操作の直後に、速やかに音声をスピーカ手段８に発音させることができる。
【００４０】
また、表示情報が関連付けられて登録された商品の場合には、表示情報の表示後に店員が確認操作を行うまで次の操作を行うことができないため、商品に対する店員の知るべき事項の確認を確実に行うことができる。
【００４１】
また一方、プリンタ手段７は、所定情報を紙に印字して伝票および印字物を発行するものである。すなわち例えば、プリンタ手段７は、商品情報を印字した伝票を発行するとともに、印字情報を印字したクーポン券等の印字物を発行するものである。そして、プリンタ手段７は、記憶手段６に記憶された印字情報、印字部数情報および重複情報に基づいて制御手段５によって制御されるようになっている。
【００４２】
印字物は、例えばクーポン券である割引券、クーポン券である無料券のほか、着物受付時のお願いの書面、新規入会時の会員規約や個人情報保護方針の書面、撥水加工を受け付けた時の撥水加工説明書等である。
【００４３】
そして、店員が顧客から預かったすべての商品の入力を完了した後、伝票発行の操作（例えば伝票発行用ボタンのタッチ操作）を行うと、レジスター装置１は、「メッセージごとの回数辞書」を記憶手段６に記憶しており、例えば図５に示すような処理を行う。なおここでいう「メッセージごとの回数辞書」とは、印字情報の文字列を主キーとしてその印字回数を集計するための情報であり、以下では単に「回数辞書」という。
【００４４】
ここで、図５は伝票発行時のフローチャートであり、顧客から預かった商品（受付商品）の入力が完了し（ステップ１）、その後、伝票発行の操作が行われると（ステップ２）、制御手段５は、「回数辞書」をクリアーし（ステップ３）、入力された最初の商品に対して次の処理を実施する（ステップ４）。
【００４５】
まず、制御手段５は、入力された一の商品の商品情報に印字情報が関連付けられている否かを判断する（ステップ５）。
【００４６】
そして、制御手段５は、印字情報が関連付けられていると判断した場合には、その印字情報に対応する重複情報が重複印字するものであるか否か、つまり重複情報が「する」になっているかどうかを判断する（ステップ６）。
【００４７】
そして、制御手段５は、重複情報が重複印字するものであると判断した場合には、「回数辞書」における印字情報をキーとする印字回数項目（「回数辞書」の印字回数項目）に印字部数情報を加算する（ステップ７）。
【００４８】
次いで、制御手段５は、入力された他の商品があるか否かを判断し（ステップ８）、他の商品があると判断した場合にはステップ５に戻り、他の商品がないと判断した場合にはステップ９に進んで、プリンタ手段７に「回数辞書」の印字回数項目の数値（小数点以下切り捨て）に応じた部数だけ印字情報を印字させて印字物（「回数辞書」の印字回数項目に応じた部数）を発行させる。
【００４９】
また、制御手段５は、プリンタ手段７に設定部数だけ商品情報を印字させて伝票（顧客に渡す１部と店舗用の１部とを合わせた２部）を発行させる（ステップ１０）。つまり、プリンタ手段７は制御手段５の制御に基づき所定部数の伝票および印字物を印刷発行し、店員は顧客に渡すべき伝票および印字物を渡す。
【００５０】
なお、制御手段５は、ステップ５で印字情報が関連付けられていないと判断した場合にはステップ８に進む。
【００５１】
また、制御手段５は、ステップ６で重複情報が重複印字しないものであると判断した場合には、「回数辞書」における印字情報をキーとする印字回数項目の数値が１未満であるか否かを判断し（ステップ１１）、１未満であると判断したときには、ステップ７に進んでその印字回数項目に印字部数情報を加算する。１未満でないと判断したときには、ステップ８に進んで入力された他の商品があるか否かを判断する。
【００５２】
ここで例えば図６のように、ある複数の各商品情報に対して印字情報、印字部数情報および重複情報が関連付けられて設定されていたとする。
【００５３】
最初の「着物」は、着物のクリーニング時の顧客への注意事項を印字するための設定であり、店舗用と顧客の控えの２部を印字発行するように設定されている。この注意事項は、仮に着物を３着預かった場合であっても、３部印字する必要はないので、重複情報は「しない」としてある。
【００５４】
次の「ワイシャツ立体」および「ワイシャツたたみ」(以下、まとめて「ワイシャツ類」という場合がある)は、合わせて５点以上を受け付けた場合に、ドライ品１点の５０％引き券（クーポン券）が１枚だけ印字発行されるように設定されている。これは「ワイシャツ類が５枚以上で、次回ドライ品１点５０％割り引き」のような場合に利用する設定である。このような場合、この引き券は１枚印字発行すれば十分なものなので、重複印字は「しない」としてある。
【００５５】
また、「上着」および「ズボン」（以下、まとめて「ドライ品類」という場合がある）は、いずれも１点の受付につき、１枚のネクタイ１点無料券（クーポン券）を印字発行されるように設定されている。これは「ドライ品１点ごと、ネクタイ１点無料」というような場合に利用する設定である。このような場合、この無料券はドライ品類１点ごとに１枚ずつ印字する必要があるので、重複印字は「する」になっている。
【００５６】
そして、このような設定で、例えばある顧客から、「着物」を３点、「ワイシャツ立体」を４点、「ワイシャツたたみ」を６点、「ズボン」を３点預かった場合を想定する。
【００５７】
すると、この場合には、図８に示す通常の伝票（預かり伝票）が２枚印字発行されるとともに、図９に示す着物受付時のお願いの書面（印字物）が２枚、図１０に示す割引券（印字物）が１枚、図１１に示す無料券（印字物）が３枚印字発行される。
【００５８】
より具体的に説明すると、受付商品の入力が完了し、店員が伝票発行の操作をすると、図５に示す発行処理が行われ、各受付商品に対してステップ５からの処理が実施される。
【００５９】
まず、最初の「着物」に対して、ステップ５からの処理が行われる。「着物」は対応する印字情報を持ち、対応する重複情報は「しない」になっているので、ステップ５からステップ６を経てステップ１１へ進む。このとき、まだ「回数辞書」には何も設定されていないため、「着物」に設定された印字情報である「(強調)着物受付時のお願い(改行)着物を（以下省略）」という文字に対する情報は何も設定されておらず、「０」とみなし、ステップ７へ進む。ここで、「回数辞書」の「(強調)着物受付時のお願い(改行)着物を（以下省略）」をキーとする印字回数項目に「着物」に対応する印字部数情報である「２」を加算する（実際には、何も設定されていないため、０＋２で「２」が格納される）。
【００６０】
次に２点目の「着物」に対しても、ステップ５からの処理が行われる。１点目の「着物」と同様に、ステップ５からステップ６を経てステップ１１へ進むが、「回数辞書」にはすでに「２」が格納されているので、ステップ８へ進む。３点目の「着物」も同様に処理され、「着物」の印字情報である「(強調)着物受付時のお願い(改行)着物を（以下省略）」をキーとする印字回数項目には「２」が格納されたままである。
【００６１】
このように、ステップ１１の処理によって、印字部数が２部で、重複して受け付けた商品が存在しても印字部数が増えないようになっている。
【００６２】
次に、「ワイシャツ立体」に対して、ステップ５からの処理が行われる。「ワイシャツ立体」は対応する印字情報を持ち、対応する重複情報は「しない」になっているので、ステップ５からステップ６を経てステップ１１へ進む。このとき、まだ「回数辞書」には「着物」の印字情報に対する回数（印字回数情報）しか設定されていないので、「ワイシャツ立体」に設定された印字情報である「(強調)ドライ品１点５０％引き券(改行)有効期限（以下省略)」という文字に対する情報は何も設定されておらず、「０」とみなし、ステップ７へ進む。ここで、「回数辞書」の「(強調)ドライ品１点５０％引き券(改行)有効期限（以下省略)」をキーとする印字回数項目に「ワイシャツ立体」の印字部数情報である「０．２」を加算する（実際には、何も設定されていないため、０＋０．２で「０．２」が格納される）。
【００６３】
次に２点目の「ワイシャツ立体」に対しても、ステップ５からの処理が行われる。１点目の「ワイシャツ立体」と同様に、ステップ５からステップ６を経てステップ１１へ進み、「回数辞書」には「０．２」が格納されているので、１未満であり、ステップ７へ進む。ここで、「回数辞書」の「(強調)ドライ品１点５０％引き券(改行)有効期限（以下省略)」をキーとする印字回数項目に「ワイシャツ立体」の印字部数情報である「０．２」を加算する（実際には、０．２が設定されているため、０．２＋０．２で「０．４」が格納される）。
【００６４】
続く、「ワイシャツ立体」の３点目、４点目も同様の処理となり、「回数辞書」の「(強調)ドライ品１点５０％引き券(改行)有効期限（以下省略)」をキーとする印字回数項目には「０．２」がさらに２回加算されて「０．８」となる。
【００６５】
次に、「ワイシャツたたみ」に対して、ステップ５からの処理が行われる。「ワイシャツたたみ」は、「ワイシャツ立体」と同一の印字情報を持ち、重複情報は「しない」になっているので、ステップ５からステップ６を経てステップ１１へ進む。このとき、「回数辞書」には「ワイシャツ立体」での処理によって「(強調)ドライ品１点５０％引き券(改行)有効期限（以下省略)」をキーとする印字回数項目には「０．８」がすでに格納されているが、まだ１未満であるので、ステップ７の処理によって、「(強調)ドライ品１点５０％引き券(改行)有効期限（以下省略)」をキーとする印字回数項目にはさらに「０．２」が加算され、「１」が格納される。このように複数商品である「ワイシャツ立体」および「ワイシャツたたみ」に対して、つまり複数の商品情報に対して同じ印字情報が関連付けられているため、同じワイシャツ類（グループ商品）としてカウントを続けることが可能となっている。
【００６６】
次いで「ワイシャツたたみ」の２点目の処理が行われる。今までと同様に、ステップ５からステップ６を経てステップ１１へ進むが、すでに「(強調)ドライ品１点５０％引き券(改行)有効期限（以下省略)」をキーとする印字回数項目には「１」が格納されているので、さらなる加算は行われず、ステップ８へ進む。残りの４点の「ワイシャツたたみ」に対しても同様になるため、「(強調)ドライ品１点５０％引き券(改行)有効期限（以下省略)」をキーとする印字回数項目は、１０点のワイシャツ類の処理が終わった後においては「１」となる。つまり、ワイシャツ類は、５点以上であれば、常に「１」となる。
【００６７】
このように重複情報が「しない」に設定されている場合には、印字回数項目の数値が一度「１」以上の値となると、それ以上の加算処理は行われず、プリンタ手段７が不必要な重複印字を行うことを防止できる。また先の「着物」のようにもともと「１」以上の値が設定されているものに関しては、予め設定された設定部数の印字発行が可能となっている。
【００６８】
次に「ズボン」に対して、ステップ５からの処理が行われる。「ズボン」は対応する印字情報を持ち、対応する重複情報は「する」になっているので、ステップ５からステップ６を経てステップ７へ進み、「ズボン」の印字情報である「(強調)ネクタイ１点無料券(改行)有効期限(以下省略)」をキーとする印字回数項目に対して「ズボン」の印字部数情報である「１」を加算する（実際には、何も設定されていないため、０＋１で「１」が格納される）。
【００６９】
次に２点目の「ズボン」に対しても、ステップ５からの処理が行われる。１点目の「ズボン」と同様にステップ５からステップ６を経てステップ７へと進み、「回数辞書」の「(強調)ネクタイ１点無料券(改行)有効期限(以下省略)」をキーとする印字回数項目に「ズボン」の印字部数情報である「１」を加算する（実際には、１が設定されているため、１＋１で「２」が格納される）。
【００７０】
続く、「ズボン」の３点目も同様の処理となり、「回数辞書」の「(強調)ネクタイ１点無料券(改行)有効期限(以下省略)」をキーとする印字回数項目には「１」がさらに加算されて「３」が格納される。
【００７１】
このような処理によって、「回数辞書」には図７に示すような情報が格納され、図９に示す着物受付時のお願いの書面が２枚、図１０に示す割引券が１枚、図１１に示す無料券が３枚印字発行される。つまり、各印字情報ごとに印字回数の情報（印字回数項目の数値）が関連付けられて設定され、この設定された印字回数の情報に応じた部数だけ印字物が印字発行される。
【００７２】
そして、このようなレジスター装置１によれば、商品情報を印字した伝票を発行するとともに印字情報を印字した印字物を発行するプリンタ手段７と、記憶手段６に記憶された印字情報、印字部数情報および重複情報に基づいてプリンタ手段７を制御する制御手段５とを備えるため、クリーニングする商品を受け付けるごとにその顧客に渡すべきものが所定枚数印字発行されることとなり、よって、店員は例えば受付商品の数に基づいてクーポン券の枚数を計算する必要もなく、店員への負担を軽減でき、しかも、クーポン券の渡し忘れや渡し過ぎを適切に防止できる。
【００７３】
また、印字回数（印字発行部数）の集計を、印字情報をキーとする印字回数項目を有する「回数辞書」を利用して集計するため、例えば複数の商品に関してまたがって点数を計算する場合でも容易に対応することができる。
【００７４】
さらに、印字部数情報に「２」等という数値情報を設定することで、控えの必要なものも容易に管理することができる。
【００７５】
また、印字部数情報に０より大きく１未満の数値を設定することにより、例えば「商品何点以上受け付けたら、クーポン券１枚渡す」というような場合に容易に対応することができる。
【００７６】
さらに、重複情報のする・しないの設定によって、単一の受付において不要な印字物を印字発行してしまうことを防止できる。
【００７７】
なお、レジスター装置１は、タッチパネル表示部４を備えたものには限定されず、例えば操作手段（入力手段）と表示手段とをそれぞれ別個に備えたものでもよい。
【００７８】
また、プリンタ手段７にて印字発行される印字物にクーポン券以外のものが含まれる場合について説明したが、例えばクーポン券のみであってもよい。
【００７９】
さらに、プリンタ手段７にて印字発行される伝票および印字物は、それぞれ分離した個別の紙には限定されず、連続した一体の紙でもよく、例えば伝票の下端にクーポン券が一体に連設されたものでもよい。
【符号の説明】
【００８０】
１    レジスター装置
４    表示手段であるタッチパネル表示部
５    制御手段
６    記憶手段
７    プリンタ手段
８    スピーカ手段
【図１】
0005748332.tif 000002
【図２】
0005748332.tif 000003
【図３】
0005748332.tif 000004
【図４】
0005748332.tif 000005
【図５】
0005748332.tif 000006
【図６】
0005748332.tif 000007
【図７】
0005748332.tif 000008
【図８】
0005748332.tif 000009
【図９】
0005748332.tif 000010
【図１０】
0005748332.tif 000011
【図１１】
0005748332.tif 000012